(57)【要約】      （修正有）【課題】別の専用の道具を用意することなく、トング１個だけで食材の挟み込みと焼き網の交換の双方を可能にするトングを提供する。【解決手段】トング１０の各アーム部分１１、１２の先端にフック１６、１７を形成する。フックを介して焼き網を引っ掛けて、持ち上げることができる。フックはアーム部分の各々の幅方向両端の少なくとも何れか一方に形成されていることが好ましい。【選択図】図１
0003196271.tif 000002
【実用新案登録請求の範囲】
【請求項１】
第一アーム部分と、第二アーム部分とからなり、
前記第一アーム部分及び前記第二アーム部分の一端の各々が直接的または間接的に結合され、前記第一アーム部分及び前記第二アーム部分がそれらの他端が相互に接近する方向に外力が作用したときに前記他端が相互に離れる方向に前記第一アーム部分及び前記第二アーム部分に弾性力が付与されるトングにおいて、
前記第一アーム部分及び前記第二アーム部分の先端の少なくとも何れか一方には網状の物を引っ掛け、引っ掛けた状態で持ち上げることを可能にするフックが形成されていることを特徴とするトング。
【請求項２】
前記フックは前記第一アーム部分及び前記第二アーム部分の各々の幅方向における両端の少なくとも何れか一方に形成されていることを特徴とする請求項１に記載のトング。
【請求項３】
前記フックは前記第一アーム部分及び前記第二アーム部分の幅方向における長さの範囲内において形成されていることを特徴とする請求項１または２に記載のトング。
【請求項４】
前記フックは前記第一アーム部分及び前記第二アーム部分の少なくとも何れか一方の幅方向における両端の少なくとも何れか一方に形成された切り欠きにより画定されるものであることを特徴とする請求項３に記載のトング。
【請求項５】
前記フックは前記第一アーム部分及び前記第二アーム部分の少なくとも何れか一方の前記他端から前記一端に向かって形成された切り欠きにより画定されるものであることを特徴とする請求項３に記載のトング。
【考案の詳細な説明】
【技術分野】
【０００１】
本考案は調理用具として用いられるトングに関する。
【背景技術】
【０００２】
図６は従来のトング１００の斜視図である。
図６に示すトング１００は、ほぼ平板状の第一アーム部分１１０と、第一アーム部分１１０と同一形状の第二アーム部分１２０と、第一アーム部分１１０及び第二アーム部分１２０の一端の各々を結合する結合部分１３０と、からなる。
【０００３】
結合部分１３０は円弧形状をなしている。このため、第一アーム部分１１０及び第二アーム部分１２０に対して弾性力を作用させることができる。具体的には、第一アーム部分１１０及び第二アーム部分１２０をそれらの先端が相互に接近する方向Ｆ１に外力を作用させると、結合部分１３０は第一アーム部分１１０及び第二アーム部分１２０に対して反発力としての弾性力（方向Ｆ１とは逆方向Ｆ２を向く力）を付与する。このため、第一アーム部分１１０及び第二アーム部分１２０に作用させる外力を減少させると（すなわち、トング１００を持っていた手の力を緩めると）、第一アーム部分１１０及び第二アーム部分１２０は元の位置（図６に示す位置）に復帰する。
【０００４】
第一アーム部分１１０及び第二アーム部分１２０の各先端には鋸歯状の凹凸１１１、１２１がそれぞれ形成されている。
【０００５】
トング１００は食材を挟み込む調理用具として用いられる。具体的には、凹凸１１１、１２１の間に肉や魚などの食材を挟み込み、焼き網の上に乗せたり、あるいは、焼き網の上の食材を挟み込んで、取り上げたりする道具として使用される。
【考案の開示】
【考案が解決しようとする課題】
【０００６】
焼き網の上で食材を焼く場合、煤けた焼き網を交換することはよく行われる。
従来のトング１００は食材を挟み込む機能しか有していないため、トング１００を用いて無理に焼き網を交換しようとしても、うまく挟めずに焼き網を落としたりすることがあった。このため、焼き網を交換するためには、交換用の道具をトング１００とは別に用意する必要があった。
【０００７】
本考案はこのような従来のトングにおける問題点に鑑みてなされたものであり、トングとは別の専用の道具を用意することなく、トング１個だけで食材の挟み込みと焼き網の交換の双方を可能にするトングを提供することを目的とする。
【課題を解決するための手段】
【０００８】
上記の目的を達成するため、本考案は、第一アーム部分と、第二アーム部分とからなり、前記第一アーム部分及び前記第二アーム部分の一端の各々が直接的または間接的に結合され、前記第一アーム部分及び前記第二アーム部分がそれらの他端が相互に接近する方向に外力が作用したときに前記他端が相互に離れる方向に前記第一アーム部分及び前記第二アーム部分に弾性力が付与されるトングにおいて、前記第一アーム部分及び前記第二アーム部分の前記先端の少なくとも何れか一方には網状の物を引っ掛け、引っ掛けた状態で持ち上げることを可能にするフックが形成されていることを特徴とするトングを提供する。
【０００９】
前記フックは前記第一アーム部分及び前記第二アーム部分の各々の幅方向における両端の少なくとも何れか一方に形成されていることが好ましい。
【００１０】
前記フックは前記第一アーム部分及び前記第二アーム部分の幅方向における長さの範囲内において形成されていることが好ましい。
【００１１】
前記フックは前記第一アーム部分及び前記第二アーム部分の少なくとも何れか一方の幅方向における両端の少なくとも何れか一方に形成された切り欠きにより画定されるものであることが好ましい。
【００１２】
前記フックは前記第一アーム部分及び前記第二アーム部分の少なくとも何れか一方の前記他端から前記一端に向かって形成された切り欠きにより画定されるものであることが好ましい。
【考案の効果】
【００１３】
本考案に係るトングには、第一アーム部分及び第二アーム部分の何れか一方または双方の先端に網状の物を引っ掛け、引っ掛けた状態で網状の物を持ち上げることが可能なフックが形成されている。すなわち、本考案に係るトングは、第一アーム部分と第二アーム部分との間に食材を挟み込むという従来のトングの機能に追加して、焼き網をフックで引っ掛けて持ち上げることができるという機能をも有する。
【００１４】
このため、従来のトングとは異なり、トングとは別に焼き網交換用の道具を用意する必要はなく、本考案に係るトングを１個用意すれば、調理道具及び焼き網交換用道具の双方として使用することができる。
【００１５】
例えば、第一アーム部分及び第二アーム部分の各々の幅方向における両端にそれぞれフックを形成することにより、複数個のフックが存在することになるので、焼き網交換用道具としての利便性を向上させることができる。
【００１６】
また、フックは第一アーム部分及び第二アーム部分の幅方向における長さの範囲内において形成することが可能である。このようにフックを形成することにより、フックは第一アーム部分及び第二アーム部分から外側には突出しないため、トングを収納するためのスペースを小さくすることができる。
【００１７】
フックは第一アーム部分及び第二アーム部分の幅方向における長さの範囲内において形成する態様としては次の二つがある。
【００１８】
例えば、第一アーム部分及び第二アーム部分の少なくとも何れか一方の幅方向における両端の少なくとも何れか一方に切り欠きを形成することにより、フックを画定することが可能である。
【００１９】
あるいは、第一アーム部分及び第二アーム部分の少なくとも何れか一方の他端から一端に向かって切り欠きを形成することにより、フックを画定することも可能である。
【図面の簡単な説明】
【００２０】
【図１】本考案の第一の実施形態に係るトングの斜視図である。
【図２】本考案の第一の実施形態に係るトングの部分的な拡大平面図である。
【図３】本考案の第二の実施形態に係るトングの部分的な拡大平面図である。
【図４】本考案の第三の実施形態に係るトングの部分的な拡大平面図である。
【図５】本考案の第四の実施形態に係るトングの部分的な拡大平面図である。
【図６】従来のトングの斜視図である。
【考案を実施するための形態】
【００２１】
（第一の実施形態）
図１は本考案の第一の実施形態に係るトング１０の斜視図である。
本実施形態に係るトング１０は、ほぼ平板状の第一アーム部分１１と、第一アーム部分１１と同一形状の第二アーム部分１２と、第一アーム部分１１及び第二アーム部分１２の一端の各々を結合する半円形状の結合部分１３と、からなる。
【００２２】
結合部分１３は半円形状をなしているため、第一アーム部分１１及び第二アーム部分１２に対して弾性力を作用させることができる。具体的には、第一アーム部分１１及び第二アーム部分１２をそれらの先端が相互に接近する方向Ｆ１に外力を作用させると、結合部分１３は第一アーム部分１１及び第二アーム部分１２に対して反発力としての弾性力（方向Ｆ１とは逆方向Ｆ２を向く力）を付与する。このため、第一アーム部分１１及び第二アーム部分１２に作用させる外力を減少させると（すなわち、トング１０を持っていた手の力を緩めると）、第一アーム部分１１及び第二アーム部分１２は元の位置（図１に示す位置）に復帰する。
【００２３】
第一アーム部分１１及び第二アーム部分１２の各先端には鋸歯状の凹凸１４、１５がそれぞれ形成されているとともに、Ｊ字型またはＵ字型のフック１６、１７がそれぞれ形成されている。
【００２４】
図２は第一アーム部分１１の先端を含む領域を示す部分的な拡大平面図である。
図２に示すように、フック１６は第一アーム部分１１の幅方向Ｗにおける一端（図２においては右側、図１においては上側）において形成されている。各フック１６の先端は第一アーム部分１１の外側を向いている。
【００２５】
前述のように、第二アーム部分１２は第一アーム部分１１と同一の形状を有している。
上記のような構造を有する本実施形態に係るトング１０は以下のような機能を有する。
第一に、結合部分１３を中心として第一アーム部分１１及び第二アーム部分１２を方向Ｆ１に回動させることにより、第一アーム部分１１及び第二アーム部分１２の間に様々な食材を挟み込むことができる。
【００２６】
第二に、フック１６、１７の何れかを焼き網に引っ掛けることにより、焼き網を持ち上げることが可能である。このため、トング１０とは別に焼き網交換用の道具を用意することなく、焼き網を交換することができる。
【００２７】
本実施形態に係るトング１０は上記の構造に限定されるものではなく、種々の変更が可能である。
本実施形態に係るトング１０においては、第一アーム部分１１及び第二アーム部分１２の双方にフック１６、１７が形成されているが、第一アーム部分１１及び第二アーム部分１２の双方にフック１６、１７を形成することは必ずしも必要ではなく、第一アーム部分１１及び第二アーム部分１２の何れか一方にのみフック１６、１７を形成することも可能である。
【００２８】
また、本実施形態におけるフック１６、１７はＪ字型またはＵ字型をなしているが、フック１６、１７の形状はこれらには限定されない。焼き網その他のネットを引っ掛けることができる形状であれば、任意の形状を採用することができる。例えば、Ｖ字型、Ｌ字型、半円形状、凹型などの形状とすることも可能である。
【００２９】
本実施形態に係るトング１０においては、フック１６、１７は第一アーム部分１１及び第二アーム部分１２の同じ側（図１においては上側）に形成されているが、第一アーム部分１１及び第二アーム部分１２の異なる側に形成することも可能である。例えば、フック１６を第一アーム部分１１の上側に、フック１７を第二アーム部分１２の下側に形成することも可能である。
【００３０】
また、本実施形態に係るトング１０においては、フック１６、１７は第一アーム部分１１及び第二アーム部分１２と同一平面内に形成されているが、例えば、フックの先端を第一アーム部分１１及び第二アーム部分１２の外側に向けることも可能である。この場合、フック１６、１７の先端部分は第一アーム部分１１及び第二アーム部分１２が形成される平面と直交する平面内に位置することになる。
【００３１】
なお、本実施形態に係るトング１０においては、第一アーム部分１１と第二アーム部分１２とがそれらの一端において直接的に結合されているが、第一アーム部分１１と第二アーム部分１２とがそれらの一端において間接的に結合されることも可能である。例えば、第一アーム部分１１と第二アーム部分１２とがＵ字型のバネ部材または軸部材を介して結合されることも可能である。
【００３２】
（第二の実施形態）
図３は本考案の第二の実施形態に係るトングにおける第一アーム部分１１の拡大平面図である。
【００３３】
第一の実施形態に係るトング１０においては、第一アーム部分１１及び第二アーム部分１２の各々において１個のフック１６、１７が形成されているのに対して、本実施形態に係るトングにおいては、図３に示すように、第一アーム部分１１には２個のフック１６が形成されている。すなわち、第一アーム部分１１の幅方向における両端にそれぞれフック１６が形成されている。第一アーム部分１１と同様に、第二アーム部分にも２個のフック１７が形成されている。
【００３４】
２個のフック１６、１７が形成されている点を除いて、本実施形態に係るトングは第一の実施形態に係るトング１０と同一の形状を有している。
このように、第一アーム部分１１及び第二アーム部分１２の各々にそれぞれ２個のフック１６、１７を形成することにより、複数個のフックが存在することになるので、トングの焼き網交換用道具としての利便性を向上させることができる。
【００３５】
（第三の実施形態）
図４は本考案の第三の実施形態に係るトングにおける第一アーム部分１１の拡大平面図である。
【００３６】
上述の第一及び第二の実施形態に係るトングにおいては、フック１６、１７は第一アーム部分１１及び第二アーム部分１２の幅Ｗａ（図４参照）よりも外側に突出して形成されている。
【００３７】
これに対して、本実施形態に係るトングにおいては、フック１６は第一アーム部分１１の幅Ｗａの範囲内に位置するように形成されている。すなわち、フック１６は第一アーム部分１１の外側に突出していない。第二アーム部分１２のフック１７も第一アーム部分１１のフック１６と同様に形成される。
【００３８】
本実施形態におけるフック１６、１７は、例えば、第一アーム部分１１及び第二アーム部分１２の各々の幅方向Ｗの一端において単に切り欠き１８（例えば、半円形状の切り欠き）を設けることにより、形成することが可能である。
【００３９】
このように、フック１６、１７を第一アーム部分１１及び第二アーム部分１２の幅方向における長さＷａの範囲内において形成することにより、フック１６、１７は第一アーム部分１１及び第二アーム部分１２から外側には突出しないため、トングを収納するためのスペースを小さくすることができる。具体的には、第一アーム部分１１及び第二アーム部分１２の幅方向における長さＷａのスペース内にトングを収納することが可能である。
【００４０】
（第四の実施形態）
図５は本考案の第四の実施形態に係るトングにおける第一アーム部分１１の側面図である。
【００４１】
本実施形態に係るトングにおいては、第一アーム部分１１の先端から結合部分１３に向かって二つの切り欠き１９が形成されている。各切り欠き１９は、第一アーム部分１１の先端から結合部分１３に向かうほぼ三角形状の第一切り欠き部分１９Ａと、第一切り欠き部分１９Ａの先端から第一アーム部分１１の幅方向の両端１１Ａに向かって延びる第二切り欠き部分１９Ｂと、から構成されている。
【００４２】
第二切り欠き部分１９Ｂは第一切り欠き部分１９Ａと異なる方向に向いているため、第二切り欠き部分１９Ｂの周縁がフック１６を構成している。
このように、第三の実施形態におけるフック１６、１７と同様に、本実施形態におけるフック１６も第一アーム部分１１の幅方向における長さＷａの範囲内において形成される。
【符号の説明】
【００４３】
１０  本考案の第一の実施形態に係るトング
１１  第一アーム部分
１２  第二アーム部分
１３  結合部分
１４、１５  凹凸
１６、１７  フック
１８、１９  切り欠き
【図１】
0003196271.tif 000003
【図２】
0003196271.tif 000004
【図３】
0003196271.tif 000005
【図４】
0003196271.tif 000006
【図５】
0003196271.tif 000007
【図６】
0003196271.tif 000008